(57)【要約】【課題】製品を安定して包み込むことができると共に、緩衝効果もしっかり確保できるパルプモールド緩衝材を用いた包装箱を提供することが課題である。【解決手段】包装箱１におけるトップパッド３配置側側壁５の上端に、折り曲げたとき、トップパッド３上面を半ば覆う天板部８と、側部に前記トップバッド３の凹部形状２４に沿った形状を有したトップパッド押さえ部１３を折り曲げ可能に配し、折り曲げたとき、前記トップパッド３に設けられた凸部２５を押圧する高さを有する端壁１１とを折り曲げ可能に連接した上フラップ７を設け、製品２の梱包時、前記トップパッド押さえ部１３がトップパッド凹部２４を押さえると共に前記端壁１１がトップパッド凸部２５を押圧して固定するようにした【選択図】    図１
2005022680.tif 000002
【特許請求の範囲】
【請求項１】
包装箱底面に設置され、パルプモールドで形成されて製品を載置するボトムパッドと、パルプモールドで形成されて前記製品上部を保護するトップパッドとを有する包装箱において、
前記包装箱における前記トップパッド配置側側壁の上端に、折り曲げたとき、前記トップパッド上面を半ば覆う天板部と、側部に前記トップバッドの凹部形状に沿った形状を有したトップパッド押さえ部を折り曲げ可能に配し、折り曲げたとき、前記トップパッドに設けられた凸部を押圧する高さを有する端壁とを折り曲げ可能に連接した上フラップを設け、製品梱包時、前記トップパッド押さえ部がトップパッド凹部を押さえると共に前記端壁がトップパッド凸部を押圧して固定するようにしたことを特徴とする包装箱。
【請求項２】
前記対向するトップパッド押圧用端壁の間の空間を、前記製品の添付品収納部としたことを特徴と請求項１に記載した包装箱。
【請求項３】
前記包装箱底部の下フラップに、ボトムパッドの移動を止める切り起こし部を設けたことを特徴とする請求項１に記載した包装箱。
【発明の詳細な説明】
【０００１】
【発明の属する技術分野】
本発明は、画像形成装置などのように一定の重量のある製品を梱包するための包装箱に関し、特に、パルプモールド緩衝材を用いて構成した包装箱に関するものである。
【０００２】
【従来の技術】
振動や衝撃に敏感な製品を運搬するための梱包箱には、製品のコーナー部や端部に適度な弾力性を備えた発泡スチロール等を素材とする包装用緩衝材を嵌め込み、段ボールなどで構成した外箱に収納するということがおこなわれてきた。しかしながら、発泡スチロール等を素材とする包装用緩衝材は、使用後の廃棄処理に際して公害の発生原因となり、昨今の環境破壊問題の深刻化に伴ってその使用が敬遠されるようになった。
【０００３】
そのため特許文献１には、段ボールなどで構成して内部に商品保持空間が形成された包装箱が示されている。すなわちこの特許文献１の包装箱は、四角筒体の両側壁の下端に内底板を連設し、各内底板の先端に各起立板を間隔をおいて連設すると共に、各内底板の中央部に基端から先端に至るスリットを設け、このスリットに連続する挿入孔を各起立板の中央部に設け、四角筒体の両端壁の下端に外底板を連設して各外底板の先端に緩衝板を連設してある。そして各緩衝板の両端部を、前記スリットを経て前記挿入孔に挿入し、各緩衝板を前記挿入孔の周縁に当接するまで開いて商品保持空間を形成したものである。
【０００４】
また特許文献２には、扇風機用の梱包装置を薄く、デットスペースを少なくして梱包才数が節減できるよう、扇風機をモータを含む主体部と、羽根部とそのガードの従体部に分解し、ダンボール製の箱ケースの内部を主体部収納室と従体部収納室に区画する第１の仕切板と第２の仕切板を交差して設け、第１の仕切板の従体部収納室に対応する部分を曲面で形成し、従体部収納室に収納されるガード部に沿うようにした梱包装置が示されている。
【０００５】
しかしながら、これら特許文献１、２に示された包装箱はいずれも段ボールのみでできているため、例えば画像形成装置などのように一定以上の重量のある商品に対する包装箱として使用した場合、落下などの衝撃に耐えられない可能性がある。そのため発泡スチロールの代わりに、原料として古紙を利用でき、生分解性で、天然素材を使用しているために使用後の廃棄物の回収、リサイクルが可能な、パルプモールド緩衝材を用いた包装箱が用いられるようになってきた。
【０００６】
図７は、このパルプモールド緩衝材を利用して構成した従来の包装箱３０の一例である。この従来の包装箱３０では、製品２をパルプモールド緩衝材で構成したボトムパッド３２の上に載置し、上部を同じくパルプモールド緩衝材で構成したトップパッド３１で保護してある。そして製品２の上部のスペース３３に、トップパッド３１の動きを止めると共にマニュアルなどの添付品を入れるトレイ３５を設け、その上に上側フラップ３４で蓋をして、天面方向での落下衝撃に耐え得るように天面方向の荷重を支えるよう構成されている。
【０００７】
しかしながら、この従来のパルプモールドを緩衝材３１、３２として用いた包装箱３０では、輸送時や荷物の積み下ろしによる振動や衝撃、または外気の湿度の影響で発生する包装箱の膨らみやパルプモールドの潰れにより、製品２と、パルプモールド緩衝材３１、３２や、包装箱３０の内壁との間に隙間が発生するため、その分を見越して製品２を充分包み込むだけの容積が必要であった。また、パルプモールド緩衝材だけでの緩衝のため、形状も複雑で頑丈なものが必要であった。
【０００８】
そのため、この従来のパルプモールド緩衝材を用いた包装箱３０では、パルプモールド緩衝材３１、３２が大きくなり、包装箱３０のサイズも大きくなって、製品２とパルプモールド緩衝材３１、３２との当たりも安定しないため、緩衝効果にバラツキが発生してしまっていた。また、パルプモールド緩衝材３１、３２の容積が小さいと、輸送時に脱落してしまい、緩衝効果が損なわれるばかりでなく、製品２に傷を付けることにもなってしまう。
【０００９】
【特許文献１】
特開平７−３０９３３０号公報（図１）
【特許文献２】
特開平１１−３４２９９１号公報（図１）
【００１０】
【発明が解決しようとする課題】
そのため本発明においては、製品を安定して包み込むことができると共に、緩衝効果もしっかり確保できるパルプモールド緩衝材を用いた包装箱を提供することが課題である。
【００１１】
【課題を解決するための手段】
上記課題を解決するため本発明においては、
包装箱底面に設置され、パルプモールドで形成されて製品を載置するボトムパッドと、パルプモールドで形成されて前記製品上部を保護するトップパッドとからなる包装箱において、
前記包装箱における前記トップパッド配置側側壁の上端に、折り曲げたとき、前記トップパッド上面を半ば覆う天板部と、側部に前記トップバッドの凹部形状に沿った形状を有したトップパッド押さえ部を折り曲げ可能に配し、折り曲げたとき、前記トップパッドに設けられた凸部を押圧する高さを有する端壁とを折り曲げ可能に連接した上フラップを設け、製品梱包時、前記トップパッド押さえ部がトップパッド凹部を押さえると共に前記端壁がトップパッド凸部を押圧して固定するようにしたことを特徴とする。
【００１２】
このように梱包箱を構成することにより、トップパッドは上フラップに設けたトップパッド押さえ部がトップパッド凹部を押さえると共に端壁がトップパッド凸部を押圧して固定するから、輸送時や荷物の積み下ろしによる振動や衝撃があっても製品とパルプモールド緩衝材や包装箱の内壁との間に隙間が生じることが無く、従来のように生じる隙間を見越して製品を充分包み込むだけの容積を設けたり、形状を複雑で頑丈なものにするといった必要がない。そのため包装箱自体が従来に比較して小型に構成でき、また、パルプモールド緩衝材と製品との当たりが安定するから、緩衝効果にバラツキが発生することが無く、製品に傷を付けるといったことも防止できる。
【００１３】
そして、前記対向するトップパッド押圧用端壁の間の空間を、前記製品の添付品収納部としたことにより、広い空間を添付品収納部として利用できる。
【００１４】
そして、前記包装箱底部の下フラップに、ボトムパッドの移動を止める切り起こし部を設けたことにより、ボトムパッドも移動したりすることなく、安定した緩衝効果を発揮できる。
【００１５】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１６】
図１は本発明になる包装箱の一実施例における一部を破断して示した斜視図、図２は本発明になる包装箱の一実施例における段ボール箱の対向する側壁上面に設けたフラップの形状とそれを折り曲げてパルプモールド緩衝材を押さえた状態を示した斜視図、図３は本発明になる包装箱の一実施例における段ボール箱の対向する側壁上面に設けたフラップの形状とそれを折り曲げてパルプモールド緩衝材を押さえた状態を示すために一部破断した斜視図、図４は製品とそれを保護するためのパルプモールド緩衝材で構成したボトムパッドとトップパッドの組み合わせを説明するための図、図５は製品にパルプモールド緩衝材で構成したボトムパッドとトップパッドを組み合わせたときの斜視図、図６は本発明になる包装箱の一実施例における断面図である。
【００１７】
図中１は本発明になる包装箱、２は画像形成装置などの製品、３はパルプモールド緩衝材で構成したトップパッド、４は同じくパルプモールド緩衝材で構成したボトムパッド、５は包装箱１の側壁、６は同じく包装箱１の他の側壁、７は側壁５の上端に設けられた上フラップで、この上フラップ７は、側壁５に連接してトップパッド３の上面を半ば覆うような幅で折り曲げられて形成される天板部８、折り曲げ線９によって折り曲げられて形成される端壁１１、折り曲げ線１０で側壁５側に折り曲げられる端壁１２が設けられ、さらに端壁１１の側部には、折り曲げ線１６で折り曲げられ、トップバッド３における凹部２４の形状に沿った形状の部位２３を有してトップパッド３内部に差し込むトップパッド押さえ部１３が設けられて構成されている。
【００１８】
１４は側壁５の下端側に設けられた下フラップ２２に設けられ、ボトムパッド４を固定するための切り起こし部、１５は側壁６に設けられた上フラップ、１７はトップパッド押さえ部１３を端壁１２から切り離す切れ込み部、１８は端壁１２から切り離されてトップパッド３を押さえる押さえ部、１９、２０は上フラップ７とトップパッド押さえ部１３の折り曲げ方向を示す矢印、２１は添付品を収納するためのスペース、２２は側壁５の下端側に設けられた下フラップ、２３はトップパッド押さえ部におけるトップパッド３の凹部２４の形状に沿った形状を有する部位、２４はトップパッド３における凹部、２５はトップパッド３における凸部である。このうちトップパッド押さえ部１３は、図６からあきらかなように、端壁１２から切れ込み部１７で切り離された部位２３がトップパッド３における凹部２４と略同じ形状とされ、この２３の部分でトップパッド３を押さえることができるようになっている。
【００１９】
本発明になる包装箱１は、図４、図５に示したように、下部に置いたパルプモールド緩衝材で形成したボトムパッド４の上に画像形成装置などの製品２を載置し、さらに製品２の上部に、同じくパルプモールド緩衝材で構成したトップパッド３を載せて上部を保護するようになっている。このうちボトムパッド４は、包装箱１の底面に置いたとき、図１、図６に示したように、下フラップ２２に設けられた切り起こし部１４を起こして容易に動かないよう止めることができるようになっている。
【００２０】
こうしてボトムパッド４を包装箱１の底面に置いて切り起こし部１４で止めたら、製品２をこのボトムパッド４の上に載置し、その上にトップパッド３を載せる。そして図１乃至３に示したように、このトップパッド３を置いた側の対向する両側壁５の上端に連接した上フラップ７を構成する端壁１１の側部に設けられたトップパッド押さえ部１３を、折り曲げ線１６で矢印１９の方向に折り曲げ、さらに矢印２０のように端壁１２を折り曲げ線１０で、端壁１１を折れ曲げ線９でそれぞれ折り曲げる。そして最後に側壁５に連接した部分で折り曲げ、トップパッド３を半ば覆うような幅の天板部８を形成すると共に、トップパッド押さえ部１３における押さえ部２３をトップパッド３の凹部２４内に差し込み、このトップパッド３を固定する。そしてこの時、端壁１１、１２によってトップパッド３内の凸部２５を押さえ、天面方向への衝撃に対して緩衝効果が出るようにする。
【００２１】
そして、図６に示した対向するトップパッド押圧用端壁１１の間の空間には、製品の添付品などを収納し、上フラップ１５を閉じることで、トップパッド３はトップパッド押さえ部１３と端壁１１、１２によってしっかり押さえられ、輸送時や荷物の積み下ろしによる振動や衝撃があっても製品２とパルプモールド緩衝材３、４や包装箱１の内壁との間に隙間が生じることが無く、従来のように生じる隙間を見越して製品を充分包み込むだけの容積を設けたり、形状を複雑で頑丈なものにするといった必要がない。そのため、本発明になる包装箱１と従来の包装箱３０とでは、例えば図６に示したように本発明になる包装箱１の方が小型に構成できる。また、パルプモールド緩衝材３、４と製品２との当たりが安定するから、緩衝効果にバラツキが発生することが無く、製品２に傷を付けるといったことも防止できる。
【００２２】
【発明の効果】
以上記載の如く本発明によれば、トップパッド３は上フラップ７に設けたトップパッド押さえ部１３がトップパッド３の凹部を押さえると共に端壁８がトップパッド３の凸部２５を押圧して固定するから、輸送時や荷物の積み下ろしによる振動や衝撃があっても製品２とパルプモールド緩衝材３、４や包装箱１の内壁との間に隙間が生じることが無く、従来のように生じる隙間を見越して製品２を充分包み込むだけの容積を設けたり、形状を複雑で頑丈なものにするといった必要がない。そのため包装箱１自体が従来に比較して小型に構成でき、また、パルプモールド緩衝材３、４と製品２との当たりが安定するから、緩衝効果にバラツキが発生することが無く、製品に傷を付けるといったことも防止できる。
【００２３】
そして、前記対向するトップパッド押圧用端壁８の間の空間を、前記製品２の添付品収納部とすることにより、広い空間を添付品収納部として利用できる。
【００２４】
そして、前記包装箱１の底部の下フラップ２２に、ボトムパッドうの移動を止める切り起こし部１４を設けたことにより、ボトムパッド４も移動したりすることなく、安定した緩衝効果を発揮できる。
【図面の簡単な説明】
【図１】本発明になる包装箱の一実施例における一部を破断して示した斜視図である。
【図２】本発明になる包装箱の一実施例における段ボール箱の対向する側壁上面に設けたフラップの形状とそれを折り曲げてパルプモールド緩衝材を押さえた状態を示した斜視図である。
【図３】本発明になる包装箱の一実施例における段ボール箱の対向する側壁上面に設けたフラップの形状とそれを折り曲げてパルプモールド緩衝材を押さえた状態を示すために一部破断した斜視図である。
【図４】製品とそれを保護するためのパルプモールド緩衝材で構成したボトムパッドとトップパッドの組み合わせを説明するための図である。
【図５】製品にパルプモールド緩衝材で構成したボトムパッドとトップパッドを組み合わせたときの斜視図である。
【図６】本発明になる包装箱の一実施例における断面図である。
【図７】パルプモールド緩衝材を利用して構成した従来の包装箱の一例である。
【符号の説明】
１  包装箱
２  製品
３  トップパッド
４  ボトムパッド
５  側壁
６  他の側壁
７  上フラップ
８  天板部
９  折れ曲げ線
１０  折り曲げ線
１１  端壁
１２  端壁
１３  トップパッド押さえ部
１４  切り起こし部
１５  上フラップ
１６  折り曲げ線
１７  切れ込み部
１８  押さえ部
１９、２０  矢印
２１  添付品載置用スペース
２２  下フラップ
２３  トップパッド３の凹部形状に沿った形状を有する部位
２４  トップパッド３における凹部
２５  トップパッド３における凸部
【図１】
2005022680.tif 000003
【図２】
2005022680.tif 000004
【図３】
2005022680.tif 000005
【図４】
2005022680.tif 000006
【図５】
2005022680.tif 000007
【図６】
2005022680.tif 000008
【図７】
2005022680.tif 000009